(57)【要約】      （修正有）【課題】造花の形態が損なわれることがない造花形成用リボンを提供する。【解決手段】造花形成用リボンは、一対のストリップ１２と、両ストリップの間に配置された紐１４と、タックプレート１６とを備える。タックプレートは互いに相対する一対の面３０，３２を有し、またこれらの面を貫通する孔を有し、これらの面のいずれか一方が粘着性を有する。両ストリップと紐とはこれらの一端部で互いに結合され、両ストリップは紐に対する長手方向への相対移動が可能であるように両ストリップの長手方向に関して間隔をおかれた複数の線の各線上の二箇所において互いに結合され、また、紐の他端部がタックプレートの一方の面から粘着性を有する他の一方の面に向けて貫通孔に通されている。【選択図】図１
0003175117.tif 000002
【実用新案登録請求の範囲】
【請求項１】
互いに重ね合わされた一対のストリップと、
両ストリップの間に配置され該ストリップの長手方向へ伸びる紐と、
互いに相対する一対の面を有するタックプレートであって前記一対の面を貫通する孔を有しまた前記一対の面のいずれか一方が粘着性を有するタックプレートとを含み、
両ストリップと前記紐とはこれらの一端部で互いに結合され、
両ストリップは前記紐に対する長手方向への相対移動が可能であるように両ストリップの長手方向に関して間隔をおかれた複数の線の各線上の二箇所において互いに結合され、
前記紐の他端部が前記タックプレートの一方の面から前記粘着性を有する他の一方の面に向けて前記貫通孔に通されている、造花形成用リボン。
【請求項２】
さらに、前記タックプレートの粘着性を有する他の一方の面に引き剥がし可能に接着された剥離紙であって前記紐が通された貫通孔を有する剥離紙を含む、請求項１に記載の造花形成用リボン。
【請求項３】
前記剥離紙は、その貫通孔に連なる二条の切れ線を有する、請求項２に記載の造花形成用リボン。
【請求項４】
前記タックプレートは前記粘着性を有する他の一方の面を規定するスポンジ板を有する、請求項１〜３のいずれか１項に記載の造花形成用リボン。
【考案の詳細な説明】
【技術分野】
【０００１】
本考案は、造花を形成するためのリボンに関する。
【背景技術】
【０００２】
従来、物品又はその包装のような装飾対象物の装飾に用いられる造花を形成するためのリボンが提案されている。この造花形成用リボンは、互いに重ね合わされた一対のストリップと、両ストリップの間に配置され該ストリップの長手方向へ伸びる複数の紐と、装飾対象物に対する接着機能を有するタックプレートとを備える（後記特許文献１参照）。
【０００３】
前記従来の造花形成用リボンにあっては、両ストリップと前記紐とがこれらの一端部において互いに結合され、両ストリップが、両ストリップ間における前記紐と両ストリップとの相対移動が可能であるように、両ストリップの長手方向に関して間隔をおかれた複数の線の各線上の二箇所において互いに結合されている。また、両ストリップとこれらの間の前記紐とが前記タックプレートに設けられた穴を介して前記タックプレートに通されている。
【０００４】
この造花形成用リボンによれば、両ストリップに対して前記紐を相対移動させ、これにより両ストリップの他端部をこれらの一端部に近接させると、両ストリップがこれらの結合箇所間でそれぞれ湾曲し、複数のループに変化する。その結果、これらのループを花弁とする造花が形成される。このようにして得られた造花は、前記タックプレートを介して、任意の装飾対象物に貼り付けることができ、これにより前記装飾対象物に装飾を施すことができる。
【０００５】
ところで、前記造花の形態は、複数のループに変化した後の両ストリップに対する前記紐の相対移動を阻止することにより、維持される。前記従来の造花形成用リボンにあっては、前記タックプレートによる造花の貼り付けの前に、前記紐を互いに結び合わせてなる結び目を作り、これを両ストリップの結合箇所に対するストッパとすることにより、形成後の造花の形態を維持することができる。しかし、装飾対象物に貼り付けられた造花が何物かに引掛かる等することによって予期しない外力を受けることがあると、前記紐の結び目が両ストリップの結合箇所間を通り抜け、その結果、前記ループが解けて造花の形態が損なわれることがある。
【先行技術文献】
【特許文献】
【０００６】
【特許文献１】実公平３−３９５０６号公報
【考案の概要】
【考案が解決しようとする課題】
【０００７】
したがって、本考案の目的は、造花の形態が損なわれることがない造花形成用リボンを提供することにある。
【課題を解決するための手段】
【０００８】
本考案に係る造花形成用リボンは、互いに重ね合わされた一対のストリップと、両ストリップの間に配置され該ストリップの長手方向へ伸びる紐と、互いに相対する一対の面を有するタックプレートであって前記一対の面を貫通する孔を有しまた前記一対の面のいずれか一方が粘着性を有するタックプレートとを含む。ここにおいて、両ストリップと前記紐とはこれらの一端部で互いに結合され、両ストリップは前記紐に対する長手方向への相対移動が可能であるように両ストリップの長手方向に関して間隔をおかれた複数の線の各線上の二箇所において互いに結合され、前記紐の他端部が前記タックプレートの一方の面から前記粘着性を有する他の一方の面に向けて前記貫通孔に通されている。
【０００９】
本考案によれば、前記紐に対して両ストリップをこれらの他端部がこれらの一端部に近接するように長手方向へ相対移動させると、両ストリップはこれらの結合箇所間でそれぞれ湾曲し、複数のループに変化する。その結果、これらのループを花弁とする造花が形成される。形成後の造花は、前記タックプレートを介して装飾対象物に接着することができる。
【００１０】
本考案にあっては、前記紐がその他端部において前記タックプレートの貫通孔にその一方の面から前記粘着性を有する他の一方の面に向けて通されている。前記タックプレートは前記造花の形成の際に両ストリップと共に又は前記造花の形成後に該造花に向けて、前記紐に対して相対移動させることができる。前記造花の形成後、前記紐は前記タックプレートの粘着性を有する面に接着し、これに固定することができ、これにより、前記タックプレートを両ストリップに対するストッパとし、両ストリップに対する前記紐の相対移動を阻止することができる。その結果、造花形成後における前記ストリップに対する前記紐の相対移動に伴う前記ループの緩み又は解れ及びこれに伴う造花の形態の毀損を防止することができる。前記造花は、さらに、前記タックプレートの粘着性を有する面を介して前記装飾対象物に接着することができる。
【００１１】
前記造花形成用リボンは、さらに、タックプレートの粘着性を有する他の一方の面に引き剥がし可能に接着された剥離紙であって前記紐の他端部が通された貫通孔を有する剥離紙を含むものとすることができる。また、前記剥離紙は、その貫通孔に連なる二条の切れ線を有するものとすることができる。前記タックプレートはその粘着性を有する面を規定するスポンジ板を有するものとすることができる。
【００１２】
前記剥離紙は前記タックプレートの粘着性を有する面を保護する。また、前記剥離紙は、前記貫通孔及び二条の切れ線に沿って２片に分割されており、これらの２片を前記切れ線に沿って個々に引き剥がして前記粘着面を露出することができる。前記スポンジ板が規定する粘着性の面は、クッション性を有するため、前記造花が取り付けられる装飾対象物の表面に不陸がであっても、これに追随した接着が可能である。
【図面の簡単な説明】
【００１３】
【図１】本考案に係る造花形成用リボンの斜視図である。
【図２】（ａ）及び（ｂ）は、それぞれ、造花形成用リボンの一部をなすタックプレートの平面図及び底面図である。
【図３】造花形成用リボンの紐に対する一対のストリップの相対移動により両ストリップの一部がループ状に変化した状態を示す斜視図である。
【図４】造花形成用リボンを造花に形成した後、該造花を装飾対象物に接着する前の状態を示す斜視図である。
【考案を実施するための形態】
【００１４】
図１を参照すると、本考案に係る造花形成用リボンが全体に符号１０で示されている。
【００１５】
造花形成用リボン１０は、互いに重ね合わされた一対のストリップ１２と、両ストリップ１２の間に配置されかつ互いに重ね合わされた、両ストリップ１２の長手方向へ伸びる一対の紐１４と、両紐１４が通されたタックプレート１６とを備える。
【００１６】
両ストリップ１２と両紐１４とはこれらの一端部１２ａ，１４ａにおいて互いに結合されている。また、両ストリップ１２は、両ストリップ１２間の両紐１４に対するこれらの長手方向への相対移動が可能であるように、両ストリップ１２の長手方向に互いに間隔をおかれた複数の線（仮想線）Ｌの各線上の少なくとも二箇所において、互いに結合されている。紐１４の数量はこれを２とする図示の例に代えて１又は３以上とすることができる。後述するように、両ストリップ１２及び両紐１４を相対移動させることにより造花Ｆ（図４）を形成することができ、また、形成後の造花はタックプレート１６を介して装飾対象物Ａ（図４）に接着することができる。
【００１７】
複数の線Ｌはそれぞれ両ストリップ１２を斜めに横切り、これらの線Ｌの傾斜方向が両ストリップ１２の長手方向に関して交互に変化している。各線Ｌが両ストリップ１２を横切る傾斜角度は任意に定めることができる。両ストリップ１２を横断する線Ｌの傾斜角度の大きさに応じて、造花Ｆの互いに対をなすループからなる花弁相互の開き角度と、紐１４の周りの各対の花弁相互の相対位置が変化する。また、線Ｌの相互間隔を任意に定めることができる。線Ｌの相互間隔により前記花弁の大きさが定まる。さらに、線Ｌの数量も任意に定めることができ、前記線の数に応じて、前記花弁の数量が変わる。
【００１８】
図示のストリップ１２および紐１４は、それぞれ、ナイロン繊維やポリエステル繊維のような合成繊維製の織布からなり、溶接またはヒートシールにより互いに結合されている。符号１８は両ストリップ１２の一端部１２ａと両紐１４の一端部１４ａとを相互に結合する箇所を示し、また、符号２０は両ストリップ１２を相互に結合する線Ｌ上の２つの箇所を示す。線Ｌ上の２つの結合箇所２０はそれぞれ紐１４の両側に位置する。
【００１９】
ストリップ１２および紐１４は、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。また、両ストリップ１２の一端部１２ａ及び紐１４の一端部１４ａの相互結合および両ストリップ１２の相互結合は、前記溶接又はヒートシールに代えて、例えば接着剤による接着、糸による縫い合わせ、鳩目、ホッチキスによる綴じ合わせ等により行なうことができる。
【００２０】
図３に示すように、紐１４に対してその長手方向へ両ストリップ１２の他端部１２ｂをこれらの一端部１２ａに向けて相対移動をさせると、両ストリップ１２の互いに隣接する２つの線Ｌ間の各ストリップの一部１２ｃと、両ストリップの一端部１２ａとこれに隣接する線Ｌとの間の各ストリップの一部１２ｄとがそれぞれ外方に膨らむ。
【００２１】
前記相対移動を続けると、両ストリップ１２の長手方向に互いに隣接する両線Ｌ（図１）が近接し、また、一端部１２ａにおける結合箇所１８とこれに隣接する線Ｌとが互いに近接し、各ストリップ部分１２ｃ，１２ｄがループ状に変形する。その結果、ループ状の各ストリップ部分１２ｃ，１２ｄを花弁とする造花Ｆ０（図４）が形成される。
【００２２】
タックプレート１６は、図示の例では二層構造のものからなり、全体に矩形の平面形状を有する。図示の例に代えて、タックプレート１６は、前記矩形以外の例えば円形のような他の任意の平面形状を有するものを選択することができる。前記二層構造は、矩形状の台紙２２と、該台紙に接着された同形状のスポンジ板２４とからなる。台紙２２及びスポンジ板２４はそれぞれタックプレート１６の互いに相対する一対の面３０，３２を規定し、スポンジ板２４が規定する面３２が粘着性を有する。図示の例では、スポンジ板２４の粘着性を有する面（以下「粘着面」という。）３２に同形状の剥離紙２６が引き剥がし可能に接着され、該剥離紙により覆われている。タックプレート１６は、図示の例に代えて、一層構造のもの、すなわち台紙２２のみからなるものとすることができる。このときは、台紙２２が前記一対の相対する面を規定し、これらの一方の面が粘着性を有するものとされる。
【００２３】
タックプレート１６は、そのほぼ中央に設けられた貫通孔２８（図２及び図３）を有する。貫通孔２８は、台紙２２、スポンジ板２４及び剥離紙２６を貫通している。タックプレート１６の貫通孔２８に両紐１４の他端部１４ｂ、すなわち両ストリップ１２の他端部１２ｂと該他端部に最も近い線Ｌとの間を伸びる両紐１４の一部が通され、これにより、両紐１４の他端部１４ｂがタックプレート１６をその一方の面３０から他の一方の面３２を経て、さらに剥離紙２６を貫通して伸びている。
【００２４】
タックプレート１６の貫通孔２８は、図示の例では、スリットからなり、タックプレート１６の面３０上で見てほぼ半円形状に伸びている。前記スリットは、好ましくは、該スリットに通された両紐１４がこれらの周囲においてタックプレート１６から圧迫力を受ける程度の幅寸法を有する。これによれば、タックプレート１６と両紐１４との間に働く摩擦力をもってタックプレート１６を両紐１４上に留め置くことができ、また、指の力をもってタックプレート１６を両紐１４に沿ってその長手方向へ移動させることができる。貫通孔２８は、図示の例に代えて、タックプレート１６の面３０上を例えば直線状に伸びるスリット、比較的小径の円孔等からなるものとすることができる。
【００２５】
タックプレート１６の粘着面３２は、スポンジ板２４の剥離紙２６に対向する面に粘着剤を塗布してなる。粘着面３２は、その弾性により、装飾対象物Ａの表面に不陸がある場合にこれに追随して変形し、その全面において装飾対象物Ａの表面に付着することができる。
【００２６】
剥離紙２６は、造花形成用リボン１０の不使用の間、タックプレート１６の粘着面３２を覆い、これを保護する役割をなす。剥離紙２６は、一枚の紙片からなるものとし、あるいは、例えば複数枚（例えば二枚）の紙片からなるものとすることができる。図示の剥離紙２６はこれを貫通する孔２８に連なる二条の切れ線３４を有し、切れ線３４により二枚の紙片に分割されている。これによれば、前記二枚の紙片は、それぞれ、貫通孔２８と両切れ線３４とに沿って粘着面３２から引き剥がすことができる。剥離紙２６が前記一枚の紙片からなるものとするときは、該紙片が二条の切れ線３４のうちの一方のみを有するものとすることができる。この一条の切れ線もまた剥離紙２６の引き剥がしを容易にする作用をなす。
【００２７】
タックプレート１６は、造花Ｆを形成する際に両ストリップ１２と共に、又は造花Ｆの形成後に該造花に向けて、両紐１４に沿って移動させることができる。タックプレート１６の粘着面３２が両紐１４の他端部１４ｂの側に向けて配置されていることから、造花Ｆの形成後、タックプレート１６の貫通孔２８から伸び出る両紐１４を互いに反対方向に折り曲げ、これらの一部を粘着面３２に押し付けて該粘着面に接着することができる。このとき、両紐１５の残余の非接着部分は切り落とすことができる。造花Ｆは、タックプレート１６の粘着面３２の残りの部分（紐１４が接着された部分を除く残りの部分）を利用して、装飾対象物Ａの表面に接着することができる（図４参照）。
【００２８】
両紐１４の一部が接着されたタックプレート１６は、造花Ｆに外力が作用し、このために両紐１４に引っ張り力が作用するとき、ループ状の両ストリップ１２に対するストッパとして機能し、これにより両ストリップに対する両紐１４の相対移動の発生を防止する。また、造花Ｆが装飾対象物Ａに接着されているときは、タックプレート１６はこれに接着された両紐１４が両ストリップに対して相対移動することを阻止する。その結果、造花形成後における両ストリップ１２に対する両紐１４の相対移動に伴う前記ループの緩み又は解れ及びこれに伴う造花Ｆの形態の毀損が防止される。
【符号の説明】
【００２９】
１０  造花形成用リボン
１２  ストリップ
１４  紐
１６  タックプレート
２２  台紙
２４  スポンジ板
２６  剥離紙
２８  貫通孔
３２  粘着面
３４  切れ線
【図１】
0003175117.tif 000003
【図２】
0003175117.tif 000004
【図３】
0003175117.tif 000005
【図４】
0003175117.tif 000006